(57)【要約】【課題】カント路などの車両の片流れが生じる状況におけるチョイ切りのような操舵にも適切に対応できる車両用操舵装置を提供する。【解決手段】検出された操舵トルクとヨーレートとに基づき、車両が第１の車両状態にあるか否かを判定し（ステップＳ１）、第１の車両状態にて、操舵トルクの絶対値が２０Ｎｍ以上となったとき（ステップＳ２）から第１所定時間である１秒の間に（ステップＳ３）、ヨーレートが２ｄｅｇ／秒〜１０ｄｅｇ／秒の間に５００ｍ秒存在すれば（ステップＳ４）、片流れと判定して、目標電流値（片流れ）を生成する。【選択図】図５
2015020440.tif 000002
【特許請求の範囲】
【請求項１】
操舵トルクを検出する操舵トルク検出手段と、
車両挙動を検出する車両挙動検出手段と、を有し、
前記操舵トルクに基づき、電動モータに与える電流値を制御して操舵系にアシストトルクを付与する車両用操舵装置であって、
車両に生じる片流れを検出し、当該片流れを抑制するように前記電流値を補正す補正電流値を算出する片流れ対応制御手段を備え、
前記検出された操舵トルクと車両挙動とに基づき、車両が第１の車両状態にあるか否かを判定し、
前記第１の車両状態にて、前記操舵トルクの絶対値が第１操舵トルク値所定値以上となったときから第１所定時間の間に、
前記車両挙動が所定の条件を満たしたときに、
前記第１操舵トルク所定値を満たしたときの前記操舵トルクの方向と同方向に前記補正電流値を算出する
ことを特徴とする車両用操舵装置。
【請求項２】
前記第１の車両状態は、
前記操舵トルクの絶対値が前記第１操舵トルク所定値よりも小さい第２操舵トルク所定値以下で、
かつ、前記車両挙動の絶対値が第１車両挙動量所定値以下である
ことを特徴とする請求項１に記載の車両用操舵装置。
【請求項３】
前記車両挙動における前記所定の条件は、前記車両挙動の絶対値が第２車両挙動量所定値から第３車両挙動量所定値までの範囲をとる時間が第２所定時間以上である
ことを特徴とする請求項１又は請求項２に記載の車両用操舵装置。
【請求項４】
操舵トルクセンサの検出値及び／又は舵角センサの検出値から、パルス状の操舵が、同じ方向に、かつ、所定の間隔で複数回検出されるか否かを判定し、
検出される際には、検出されるパルス状の操舵と同じ方向に操舵用の電動モータを駆動する補正電流を生成させる
ことを特徴とする車両用操舵装置。
【発明の詳細な説明】
【技術分野】
【０００１】
本発明は、操舵用（操舵補助用）の電動モータを備えた車両用操舵装置に関する。
【背景技術】
【０００２】
道路の幅方向（路肩方向）に傾斜がついたカント路を走行する際や横風の中を走行する際には、直進をしようとしても、カント路では重力により車両が傾斜方向の下側に流され、横風の中では風力により車両が風下側に流される。つまり車両の片流れが生じる。このため、車両の片流れに対抗して直進するには、運転者がステアリングハンドル（適宜「ハンドル」という）を傾斜方向上側や風上側に向けて切る必要がある。つまり、直進状態であっても、運転者はたえず流される方向（片流れの方向）とは逆向きに操舵力を与え続ける必要がある。
【０００３】
例えば、特許文献１では、車両挙動に影響を及ぼす外乱発生時（カント路走行時や横風走行時など…）に、その車両挙動に対する外乱の影響程度に対応する外乱影響値Ｄを求め、その外乱影響値Ｄに応じて操舵補助力Ｔａを制御可能とした車両の操舵装置が開示されている。この特許文献１では、操舵トルクの中点を挟んで不感帯を設け、操舵トルクが不感帯を超える場合に操舵補助力を発生させ、外乱（カント路の傾斜や横風など）を打ち消すようにしている。
【先行技術文献】
【特許文献】
【０００４】
【特許文献１】特開２００１−１９２３号公報
【発明の概要】
【発明が解決しようとする課題】
【０００５】
しかし、片流れの方向（カント路の下り勾配の方向）とは逆向きに操舵力を与え続ける運転スタイルのほかに、カント路などに対する別の運転スタイルとして、カント路に対抗してちょっと大き目に短時間操舵し、その後、ハンドルから手を離し、車体が流れてきたら、またちょっと操舵して…、を繰り返すという運転スタイルがある（仮に「チョイ切り」という）。この運転スタイルの場合、従来の制御方法では、うまく片流れ対応制御を作動させることが困難である。
そこで、本発明は、カント路などにおけるこのような運転スタイルにも適切に対応可能な車両用操舵装置を提供することを目的とする。
【課題を解決するための手段】
【０００６】
上記課題を解決した本発明の車両用操舵装置（１）は、操舵トルクを検出する操舵トルク検出手段と、車両挙動を検出する車両挙動検出手段と、を有し、前記操舵トルクに基づき、電動モータに与える電流値を制御して操舵系にアシストトルクを付与する車両用操舵装置(1)である。そして、この車両用操舵装置は、車両に生じる片流れを検出し(1206)、当該片流れを抑制するように前記電流値を補正す補正電流値を算出する片流れ対応制御手段(12)を備え、（ａ）前記検出された操舵トルクと車両挙動とに基づき、車両が第１の車両状態にあるか否かを判定し、（ｂ）前記第１の車両状態にて、前記操舵トルクの絶対値が第１操舵トルク値所定値以上となったときから第１所定時間の間に、前記車両挙動が所定の条件を満たしたときに、（ｃ）前記第１操舵トルク所定値を満たしたときの前記操舵トルクの方向と同方向に前記補正電流値を算出することを特徴とする。
【０００７】
この構成においては、車両の状態が第１の車両状態であれば「スタンバイ状態」になる。この状態は、例えば、ほぼ操舵されていない状態ともいえる。そして、この第１の車両状態（スタンバイ状態）にて、操舵トルクの絶対値が第１操舵トルク所定値以上となったとき（このときチョイ切りされている）から数えて第１所定時間の間に、車両挙動（例えばヨーレート）が所定の条件を満たしたとする（例えばこの所定の条件のときに片流れしている）。この車両挙動が所定の条件を満たしたときは、操舵トルクが第１操舵トルク所定値を満たしたとき（つまりチョイ切りされたとき）の操舵トルクの方向と同方向に補正電流値を算出する。
【０００８】
また、本発明の車両用操舵装置（２）では、前記第１の車両状態は、前記操舵トルクの絶対値が前記第１操舵トルク所定値よりも小さい第２操舵トルク所定値以下で、かつ、前記車両挙動の絶対値が第１車両挙動量所定値以下であることを特徴とする。
【０００９】
この構成において、後記する実施形態では、第１の車両状態は、操舵トルクの絶対値＜１０Ｎｍ、かつ、ヨーレートの絶対値＜１ｄｅｇ／秒であり、ほぼ操舵されていない状態とも思われる値である。
ちなみに、後記する実施形態では、第１操舵トルク所定値はチョイ切りであるので２０Ｎｍ以上であり、第２操舵トルク所定値は片流れしている状態であるので１０Ｎｍ未満である。また、第１車両挙動量所定値は１ｄｅｇ／秒である。
【００１０】
また、本発明の車両用操舵装置（３）では、前記車両挙動における前記所定の条件は、前記車両挙動の絶対値が第２車両挙動量所定値から第３車両挙動量所定値までの範囲をとる時間が第２所定時間以上であることを特徴とする。
【００１１】
この構成において、後記する実施形態では、第２車両挙動量所定値は２ｄｅｇ／秒であり、第３車両挙動量所定値は１０ｄｅｇ／秒である。そして、所定の条件は、２〜１０ｄｅｇ／秒である。チョイ切り後に、このような小さなヨーレートが５００ｍ秒（第２所定時間）以上検出されることは、片流れしていることを示す。
【００１２】
また、本発明の車両用操舵装置（４）では、操舵トルクセンサの検出値及び／又は舵角センサの検出値から、パルス状の操舵が、同じ方向に、かつ、所定の間隔で複数回検出されるか否かを判定し、検出される際には、検出されるパルス状の操舵と同じ方向に操舵用の電動モータを駆動する補正電流を生成させることを特徴とする。
【００１３】
カント路では、パルス状の操舵が繰り返されることから、このことを検出して片流れ対応制御を行う。ちなみに、パルス状の操舵の間の所定の間隔での操舵トルクや舵角は、パルス状の操舵の部分におけるものよりも小さく、ほぼ操舵されていないと思われる値である。
【発明の効果】
【００１４】
本発明によれば、カント路などにおけるこのような運転スタイルにも適切に対応可能な車両用操舵装置を提供することができる。
【図面の簡単な説明】
【００１５】
【図１】本発明の第１実施形態における車両用操舵装置を搭載した車両の全体構成を模式的に示す図である。
【図２】図１の車両におけるＥＰＳ＿ＥＣＵやＦＩ＿ＥＣＵの概略構成と、両者の連携を示すブロック図である。
【図３】図２の片流れ対応制御部の内部構成を示すブロック図である。
【図４】運転者が、車両を運転して道路を走行している状況での、車体の傾斜、操舵トルクなどを示す図であり、左側の図が平坦路の場合を、中央の図がカント路において片流れ対応制御なしの場合（片流れ対応制御に入る前の場合）を、右側の図がカント路において片流れ対応制御ありの場合（片流れ対応制御に入った場合）をそれぞれ示している。
【図５】チョイ切りの運転スタイルを検出して、片流れ対応制御を開始するフローチャートである。
【図６】本実施形態でのクルーズコントロールと片流れ対応制御との連携を示す概略的なフローチャートである。
【図７】第２実施形態における連携を示すブロック図である。
【図８】第３実施形態の一例として、図３の電流値設定部における舵角と電流値との対応関係の情報を調整することで片流れ対応制御の制御量を減少する例を示す図である。
【発明を実施するための形態】
【００１６】
次に、本発明を実施するための一形態（実施形態）について、添付の図面を参照し、詳細に説明する。
以下の説明において、「第１の車両状態（スタンバイ状態）」は、操舵トルクの絶対値＜１０Ｎｍ（第２操舵トルク所定値）、かつ、ヨーレートの絶対値＜１ｄｅｇ／秒（第１車両挙動量所定値）である。つまり、運転者による操舵がほぼされていないとも思われるような操舵状態である。
また、以下の実施形態では、「第１操舵トルク所定値」は、操舵トルクの絶対値が２０Ｎｍ以上であり、「第１所定時間」は１秒であり、「第２所定時間」は５００ｍ秒である。また、「所定の条件」は、ヨーレートが２（第２車両挙動量所定値）〜１０（第３車両挙動量所定値）ｄｅｇ／秒である。なお、これらの値は一例である。
【００１７】
≪第１実施形態≫
（全体構成）
図１は、本発明の実施形態における車両用操舵装置Ｓを搭載した車両Ｃの全体構成を模式的に示す図である。この図１に示すように、車両Ｃは、車輪Ｗを４つ備える四輪車である（符号ＷＦは転舵輪を示す）。そして、この車両Ｃは、車両用操舵装置Ｓの要部として、ＥＰＳ＿ＥＣＵ１や転舵用のモータ３をはじめとした、電動パワーステアリング装置の構成を備えている。この電動パワーステアリング装置は、ステアリングハンドル（ハンドル）Ｈから入力される運転者の操舵力を、モータ３を作動させることで軽減する周知の装置である。このため、電動パワーステアリング装置の詳細な説明は省略する。また、車両Ｃは、ＦＩ＿ＥＣＵ２を備えるが、これも周知のものであるので、その詳細な説明を省略する。
なお、ＥＰＳは、Electric Power Steering（電動パワーステアリング）の略である。また、ＦＩは、Fuel Injectionの略である。また、ＥＣＵは、Electronic Control Unitの略である。
【００１８】
また、図１において、符号４１は、舵角センサ（舵角検出手段）であり、本実施形態では、モータ３の角度を計測する角度センサで代用する。この舵角センサ３により、舵角のほか、モータ３の回転速度（モータ回転速度（＝操舵速度））を検出する。また、符号４２は、操舵トルクセンサ（操舵トルク検出手段、図１では「トルクセンサ」と記載）であり、運転者がハンドルＨを介して入力する操舵トルク（手動操舵力）を検出する。また、符号４３は、ヨーレートセンサであり、車両Ｃのヨーレート（旋回角度）を検出する。また、符号４４は、車輪Ｗの回転速度（車輪速パルス）を検出する車輪速センサであり、この図１では、１つの車輪Ｗにのみ記載しているが、実際は４つの車輪Ｗに備わっている。ちなみに、車速は、４つの車輪Ｗに備わっている車輪速センサ４４の検出値の平均値などや、従動輪となる車輪Ｗに備わっている車輪速センサ４４の検出値の平均値などである。
なお、符号４１の舵角センサ〜符号４４の車輪速センサまでの各センサを総称するときは、センサ４と記載する。
【００１９】
また、図１において、符号ＳＷは、クルーズコントロールスイッチ（以下クルコンスイッチ）であり（図１では「ＣＣスイッチ」と記載）、ハンドルＨに設置又はハンドルＨの近傍に設置されて、高速道路などをクルーズコントロールで走行する際に、運転者によりＯＮ（オン）されるものである。以下の説明では、このクルコンスイッチＳＷはハンドルＨに設置されているものとする。
ちなみに、このクルコンスイッチＳＷは、運転者によりＯＦＦされる以外に、ブレーキペダルが踏み込まれるなど、所定の条件のときに自動的に解除（ＯＦＦ）される。
【００２０】
また、図１において、ＥＰＳ＿ＥＣＵ１、ＦＩ＿ＥＣＵ２、各センサ４、クルコンスイッチＳＷなどは、ＣＡＮ（Control Area Network）のような通信線Ｎにより接続されている。
【００２１】
図２は、図１の車両におけるＥＰＳ＿ＥＣＵ１とＦＩ＿ＥＣＵ２の概略構成と、両者の連携を示すブロック図である。
【００２２】
（ＥＰＳ＿ＥＣＵ）
図２に示されるように、ＥＰＳ＿ＥＣＵ１は、ＥＰＳ制御部１１、片流れ対応制御部（片流れ対応制御手段）１２、ゼロ電流値出力部１３、切替器１４、リミッタ１５、加算器１６、モータ駆動手段１７を備え、ＥＰＳ用のモータ３の駆動を制御する駆動制御手段である。ちなみに、ＥＰＳ＿ＥＣＵ１のうち、保舵支制御部１２、ゼロ電流値出力部１３、切替器１４、リミッタ１５、及び、加算器１６が、本実施形態の特徴部分である。つまり、ＥＰＳ制御部１１やモータ駆動手段１７は公知のものであり、このため、これらの具体的な説明は省略する。
【００２３】
片流れ対応制御部１２は、詳細は図３を参照して後記するが、カント路などの片流れが生じる状況での片流れを打ち消すための目標電流値（片流れ対応）を、後段の切替器１４に出力する機能を有する機能部であり、「片流れ対応制御」をつかさどる。
なお、目標電流値（片流れ対応）は、「補正電流値」に相当する。また、この目標電流値（片流れは）、電動モータ３に供給される実電流のうちの補正電流分に相当する。
【００２４】
ゼロ電流値出力部１３は、加算器１６に供給する電流値（０）を、後段の切替器１４に出力する機能を有する機能部である。
【００２５】
切替器１４は、クルーズコントロール制御部（以下「クルコン制御部」という）２１からの信号（クルコン制御中フラグ（ＣＣ制御中フラグ））に基づき、クルコンスイッチＳＷがＯＮのときに、片流れ対応制御部１２からの目標電流値（片流れ対応）を後段のリミッタ１５に出力し、一方、クルコンスイッチＳＷがＯＦＦのときに、ゼロ電値流出力部１３からのゼロ電流値を後段のリミッタ１５に出力する機能を有する機能部である。
【００２６】
リミッタ１５は、切替器１４から出力される電流値の絶対値が、例えば所定の制限値を超えるような場合に、リミットをかける構成を有する機能部である。例えば、クルコンスイッチＳＷがＯＮのときに、片流れ対応制御部１２から出力される目標電流値（片流れ対応）の絶対値が所定の制限値を超えた場合に、その絶対値が制限値を超えないようにする。
【００２７】
加算器１６は、ＥＰＳ制御部１１が出力する目標電流値にリミッタ１５が出力する電流値（片流れ対応）を加算するものである。クルコンスイッチＳＷがＯＮの場合は、ＥＰＳ制御部１１が出力する目標電流値に、片流れ対応制御部１２が出力する目標電流値（片流れ対応）を加算してモータ駆動手段１７に出力する機能を有する機能部である。
【００２８】
モータ駆動手段１７は、演算装置やインバータなどを備え、加算器１６から出力される加算処理後の目標電流値に基づいてＰＷＭ（Pulse Width Modulation）信号を生成し、このＰＷＭ信号によりインバータを駆動してモータ３に供給する三相交流電流を生成し、モータ３をＰＷＭ駆動させる機能を有する機能部である。
【００２９】
（ＦＩ＿ＥＣＵ）
図２に示す、ＦＩ＿ＥＣＵ２は、エンジンＥＣＵとも言われ、点火時期や燃料噴射量などの制御を司るＥＣＵである。本実施形態の車両ＣのＦＩ＿ＥＣＵ２は、クルコン制御部２１を備えている。クルコン制御部２１はハンドルＨに設置されているクルコンスイッチＳＷがＯＮのときに切替器１４に信号（ＣＣ制御中フラグ）を出力して、片流れ対応制御部１２が出力する目標電流値（片流れ対応）を後段のリミッタ１５に出力させるようにする。
【００３０】
また、このクルコンスイッチＳＷがＯＮされたときは、クルコン制御部２１は、ＤＢＷ（Drive By Wire）弁５を介してエンジン（原動機）の出力をコントロールし、一定車速で車両Ｃを走行させる。この機能を用いれば、例えば、信号機などがない長い直進路において、運転者が足でアクセルコントロールをすることなく（アクセルペダルから足を離しても）、車両Ｃを一定車速で走行させることができる。
【００３１】
ちなみに、クルコン制御部２１と切替器１４の連携構成について、クルコンスイッチＳＷがＯＮであれば、片流れ対応制御を行う場面が生じる可能性が高いとの想定で、切替器１４を片流れ対応制御部１２の側に切り替え、片流れ対応制御を有効なものとする。また、クルコンスイッチＳＷがＯＮの状態であれば、大きな操舵もなく、片流れ対応制御が運転者の快適性の支障になる場面が生じる可能性が低いとの想定で、切替器１４を片流れ対応制御部１２の側に切り替え、片流れ対応制御を有効なものとする。
【００３２】
（片流れ対応制御部）
次に、片流れ対応制御部１２の詳細を、その内部構成を示すブロック図である図３を主に参照して説明する。
【００３３】
図３に示すように、片流れ対応制御部１２は、中点移動制御部１２０、減算部１２１、電流値設定部１２２、ローパスフィルタ（ＬＰＦ）１２３、第１レシオ出力部１２４、乗算部１２５、ダンパ電流値設定部１２６、第２レシオ出力部１２７、乗算部１２８、加算部１２９などを備える。
ちなみに、この実施形態での片流れ対応制御部１２は、カント路や横風などのように車両Ｃに片流れ（片流れ）を生じさせる力に対抗して、モータ３自身の動きを抑制するような目標電流値（片流れ対応）を出力する機能を有する機能部である。
【００３４】
中点移動制御部１２０は、ヨーレートと操舵トルクを入力して、例えば、後記する図５のフローチャートで片流れを判定して、片流れ対応舵角値を出力する構成を備える。この中点移動制御部１２０については、後で詳細に説明する。
ちなみに、本実施形態では、片流れ対応舵角値の初期値は０ｄｅｇ、若しくはその時のハンドルＨの操舵角に設定される。片流れ対応制御のときには、片流れ対応舵角値を初期値（片流れ対応制御開始時の実操舵角、若しくは０ｄｅｇ）から片流れに対応するように可変し、これを中点移動制御部１２０の出力として、減算部１２１に出力する。
【００３５】
減算部１２１は、初期値である０ｄｅｇ、若しくは舵角センサ４１から入力される現在の舵角を基準として中点移動制御部１２０が出力する片流れ対応舵角値を減算する機能を有する機能部である。
【００３６】
電流値設定部１２２は、減算部１２１が出力する値を入力して、片流れ対応舵角値と電流値との対応関係の情報に基づき、入力した片流れ対応舵角値を電流値（ベース電流値）に変換する機能を有する機能部である。なお、ここでの対応関係の情報は、舵角の絶対値が大きくなるほどベース電流値の絶対値が大きくなるように設定されている。これは、片流れの傾向が大きくなるほど運転者は舵角を大きくして保舵する（チョイ切りの運転スタイルにおいては頻繁に若しくは大きくチョイ切りする）からである。
補足すると、カント路などにおける車両Ｃを片流れさせようとする力に対抗して、モータ３の動きを抑制するような電流をモータ３に供給するように、対応関係の情報は設定されている。ちなみに、モータ３の動きが抑制されれば、自ずとハンドルＨの動きも抑制され、結果、ハンドルＨを保舵する運転者の負担が軽減される。
ちなみに、図３の電流値設定部１２２の枠内のグラフは、グラフの中央から右への舵角を（＋）、左への舵角を（−）で示しており、例えば、右側への舵角の場合は、電流値は（−）の値に設定される。
【００３７】
なお、電流値設定部１２２における前記の対応関係は、片流れ対応舵角値の前記した初期値を境に、電流を立ち上げたり立下げたりしている。これは、片流れ対応舵角値の初期値（ここでは０ｄｅｇ）で電流を立ち上げたり立下げたりすることで、センタ感を演出するためである。
ちなみに、説明を省略しているが、ＥＰＳ制御部１１にもベース電流値やダンパ電流値が存在する。しかし、この片流れ対応制御部１２におけるベース電流値と後記するダンパ電流値は、片流れ対応制御（保舵支援）のためのものであり、基本的に、ＥＰＳ制御部１１におけるものとは別物である。
【００３８】
ローパスフィルタ１２３は、例えば、電流値設定部１２２が出力するベース電流値の移動平均をとるなどして、ベース電流値をなます機能を有する機能部である。なお、電流値設定部１２２をチューニングすることで、このローパスフィルタ１２３を省略することも可能である。
【００３９】
第１レシオ出力部は、操舵トルクセンサ４２が出力する操舵トルクを入力して、操舵トルクと第１レシオの対応関係の情報に基づき、入力した操舵トルクを第１レシオに変換する機能を有する機能部である。なお、ここでの対応関係の情報は、車線変更などを容易にするため、概ね、操舵トルクの値が大きくなるほど第１レシオの値が小さくなるように設定されている。
【００４０】
乗算部１２５は、ローパスフィルタ１２３が出力するベース電流値に第１レシオ出力部１２４が出力する第１レシオを乗算して、ベース電流値を補正する機能を有する機能部である。
【００４１】
ダンパ電流値設定部１２６は、入力されるモータ回転速度、すなわち、この実施形態では、舵角の時間微分値を入力して、モータ回転速度と電流との対応関係の情報に基づき、入力したモータ回転速度を電流値（ダンパ電流値）に変換する機能を有する機能部である。ちなみに、ここでの対応関係の情報は、モータ回転速度が速くなれば、その動きを制止するようにモータ３に電流を供給すべく、ダンパ電流値を設定するものである。
なお、このダンパ電流値設定部１２６は、ＥＰＳ制御部１１における周知のダンパ制御のものとは異なる。ＥＰＳ制御部１１におけるダンパ制御は、車両Ｃの高速走行中において、ハンドルＨがふらつくことを防止してどっしりとした安定感のある操舵フィールを運転者に与えるものであるが、このダンパ電流値設定部１２６におけるダンパ電流値は、片流れに対抗するものである。
ちなみに、前記の電流値設定部１２２と同様、枠内のグラフは、グラフの中央から右へのモータ回転速度を（＋）、左へのモータ回転速度を（−）で示しており、例えば、右側への回転の場合は、ダンパ電流値は（−）の値に設定される。
【００４２】
第２レシオ出力部１２７は、操舵トルクセンサ４２が出力する操舵トルクを入力して、操舵トルクと第２レシオの対応関係の情報に基づき、入力した操舵トルクを第２レシオに変換する機能を有する機能部である。なお、ここでの対応関係の情報は、前記の第１レシオと同様に、概ね、操舵トルクの値が大きくなるほど第２レシオの値が小さくなるように設定されている。これは、第１レシオと同様、車線変更などを容易にするためである。
【００４３】
乗算部１２８は、ダンパ電流値設定部１２６が出力するダンパ電流値に第２レシオ出力部１２７が出力する第２レシオを乗算して、ダンパ電流値を補正する機能を有する機能部である。第２レシオによるここでの補正は、前記のとおり、車線変更などを容易にするためである。
【００４４】
加算部１２９は、乗算部１２５が出力する電流値（ベース電流値）と乗算部１２８が出力する電流値（ダンパ電流値）とを加算して、目標電流値（片流れ対応）として出力するものである。本実施形態では、図２に示されるように、この目標電流値（片流れ対応）は、クルコン制御がＯＮの場合に加算器１６でＥＰＳ制御部１１が出力する目標電流値（ＥＰＳ制御における目標電流値）と加算される。そして、モータ３は、その加算後の目標電流値に応じて、不図示のバッテリから供給される実電流に基づいて駆動される。
【００４５】
（動作１）
以上では、車両Ｃの全体構成から、各部の具体的な構成を説明したが、次は、その動作を具体的に説明する。
【００４６】
図４は、運転者が、車両Ｃを運転して道路を走行している状況での、車体の傾斜、操舵トルク、運転者のハンドル操作負担などを示す図であり、左側の図が平坦路の場合を、中央の図がカント路における一般的な運転スタイルを、右側の図がカント路におけるチョイ切りの運転スタイルをそれぞれ示している。
【００４７】
［平坦路］
図４の左側の図に示すように、直進（直線）の平坦路では、車両Ｃの車体は水平であり、ハンドルＨもほぼ中央であり、操舵トルクもゼロを中心にして左右ほぼ均等に周期的に振動している状況となる（微小舵）。この状況では、運転者の腕の筋肉（上腕二頭筋や上腕三頭筋など）は微小舵を繰り返す際に多少伸縮される程度である。
なお、ここでの平坦路とは、路肩方向に目立った傾斜がないこと（つまりカント路ではないこと）を意味し、道路の進行方向に存在する上下のうねり（高低差）は問わない。
【００４８】
［カント路（一般的な運転スタイル）］
図４の中央の図に示すように、道路の路肩方向に傾斜がついたカント路では、重力により車体流れ（車両Ｃに片流れ）が生じる。この図４の中央の図のように左側の路肩に向かって下る傾斜がついたカント路では、左側に向けて片流れ（車体流れ）が生じる。このため、運転者はハンドルＨを右方向に傾けて保舵を行う。
【００４９】
ところで、本実施形態の車両用操舵装置Ｓのように電動パワーステアリング装置（ＥＰＳ）が備わっていれば、操舵トルクに応じてＥＰＳ（ＥＰＳ制御部１１）が操舵トルクなどに見合う目標電流値を設定して、運転者の操舵力を補助する操舵補助力をモータ３に生じさせる。しかし、ＥＰＳは、交差点、曲線路、駐車場などにおける操舵を踏まえて作成されているため、カント路での片流れ対応、すなわち、さほど大きくない一方向の操舵トルクが長時間続く場合の対応が取れているとはいえない。つまり、さほど大きくない操舵トルクの場合は、操舵トルクの不感帯の関係などから、モータによる操舵補助力がほとんど発生されない。例えば、米国などには、道路の水はけを良くするために、延々とカント路が続く場所があり、このような場所においては、通常のＥＰＳでは運転者に大きな負担がかかり、快適性を損なってしまう。
【００５０】
なお、カント路におけるこのような一般的な運転スタイルを支援するための片流れ対応制御を備える車両用操舵装置も知られているが、しかし、チョイ切りのような運転スタイルに対応しているとはいえない。すなわち、前記した特許文献１では、舵角一定の定常走行の場合を前提としており（特許文献１の段落００１７など参照）、チョイ切りのような運転スタイルの場合は舵角一定の定常走行状態とはいえず、カント路での走行と認識することができない。車両起因の片流れではあるが、片流れに対応した他の特許文献として、特開２００７−６２７１２号公報が知られているが、これも直進状態における操舵履歴に基づくものであり、チョイ切りの運転スタイルには対応していない。
【００５１】
［カント路（チョイ切りの運転スタイル）］
図４の右側の図に示すように、同じカント路でも、一定の舵角で保舵するのとは異なる運転スタイルとして、前記のチョイ切りの運転スタイルがある。この運転スタイルは、車両Ｃが路肩方向に流されてくると、少しハンドルＨを切って（チョイ切り）車両Ｃが進行する向きを変えて直ぐに手離しし（ハンドルＨを握る力を緩め）、再度片流れして路肩方向に流されると、再度チョイ切りするものである。この運転スタイルでは、パルス状の操舵（パルス状の操舵トルクや舵角）が、同じ方向に、かつ、所定の間隔で複数回検出される。パルス状の操舵(操トルクや舵角）が検出される所定の間隔は、車速が早くなれば短くなる傾向にある。また、この所定の間隔は、車体流れ（片流れ）の力が大きくなるほど（つまりカント路の勾配が大きくなるほど）、短くなる傾向がある。また、チョイ切りは、その名の通りごく短い操舵であるので、チョイ切りによる操舵（操舵トルクや舵角）のパルスの幅に比べて、所定の間隔はかなり長い時間であるといえる。
【００５２】
詳細は後記するが、本実施形態では、図３に示す片流れ対応制御部１２の中点移動制御部１２０が、操舵トルクとヨーレートとにより、運転スタイルが、片流れに対応したチョイ切りか否かを判定して、舵角の中点を移動させる。そして、図３に示すように、ＥＰＳ＿ＥＣＵ１は、片流れ対応制御部１２が出力する移動後の中点に基づく出力電流値（目標電流値（片流れ対応））をＥＰＳ制御部１１が出力する目標電流値に加算（加算器１６）し、モータ３に供給する実電流を生成する（モータ駆動手段１７）。
この詳細は後記するが、この片流れ対応制御により、片流れ（車体流れ）が生じる状況においても、運転者が操舵する負担が大幅に軽減され、平坦路レベルの操舵負担を実現可能である。
【００５３】
（動作２）
次に、同じ図４を参照して、本実施形態の車両Ｃが、平坦路からカント路に侵入して片流れ対応制御が開始されるまでを時系列で説明する（適宜図２や図３など参照）。
【００５４】
［平坦路］
図４の左側の図に示す平坦路において、運転者がハンドルＨに設置されているクルコンスイッチＳＷをＯＮしたとする。すると、ＦＩ＿ＥＣＵ２の制御のもと、ＤＢＷ弁５を制御して、定速走行を行う。これにより、運転者は、定速走行のためにアクセルペダルを操作する労力が省かれる。さらに、クルコンスイッチＳＷがＯＮされたことにより、ＦＩ＿ＥＣＵ２では、クルコン制御部２１が切替器１４にクルコンスイッチＳＷがＯＮされた旨の信号を出力する。この信号をトリガにして、切替器１４が切り替わり、片流れ対応制御部１２から出力されている目標電流値を後段のリミッタ１５へと通過させる。一方、切替器１４は、ゼロ電流値出力部１３が出力する０の電流値を遮断する。
【００５５】
クルコンスイッチＳＷがＯＮされることにより、見かけ上、片流れ対応制御部１２が出力する目標電流値（片流れ対応）は、加算器１６において、ＥＰＳ制御部１１が出力する目標電流値に加算される。
【００５６】
但し、図４の左側の図に示されるように、操舵トルクの値は、０を中心に左右にほぼ均等である。ちなみに、直進路の微小舵であることから、検出される操舵トルクの範囲は、ＥＰＳ制御部１１における操舵トルクの不感帯の範囲内のため、まだモータ３は作動していない。
【００５７】
つまり、平坦路の微小舵では、中点移動制御部１２０からは、片流れ対応舵角値は初期値が出力される。このため（図３参照）、電流値設定部１２２では、中点を移動されることのない舵角をそのまま用いての制御を行う。さらに、前記のとおり直進の平坦路であることから、操舵トルク、舵角、モータ回転速度（舵角速度）はいずれも小さく（モータ３は回るとしても外力により回される）、このため、片流れ対応制御部１２から出力される目標電流値（片流れ対応）は０か０に近い値である。
【００５８】
したがって、運転者によりクルコンスイッチＳＷがＯＮされることでＥＰＳ制御部１１が出力する目標電流値に片流れ対応制御部１２が出力する目標電流値（片流れ対応）が加算されても、平坦路では、前記のとおり目標電流値（片流れ対応）は０か０に近い値であるので、モータ３による消費電力が上昇するようなことはない。
なお、図３、図４により理解されるように、本実施形態の車両Ｃでは、常に片流れ対応制御部１２の各機能は作動していて、目標電流値（片流れ対応）を出力している。この点について、クルコンスイッチＳＷがＯＮにされたことをトリガに、休止などしていた片流れ対応制御部１２の各機能が動作するようにしてもよい。
【００５９】
［カント路（チョイ切り）］
次に、車両Ｃが平坦路から図４の右側の図に示すカント路に侵入したとする。クルコンスイッチＳＷは、既に平坦路でＯＮされているものとする。
運転者は、片流れに対応するため、チョイ切りの運転スタイルを行う。
【００６０】
ここで、特許文献１などの従来の片流れ対応制御では、前記のように舵角が一定である定常走行状態を前提に片流れを判定するため、チョイ切りの運転スタイルでは、片流れが車両Ｃに生じていても、片流れとは検出できない。このため、片流れに対応する制御を行うことができない。
【００６１】
しかし、図４の右側の図のように、ごく短いパルス状の操舵が行われることで、中点移動制御部１２０は、車両Ｃがカント路上を走行していることを検出する。これにより片流れ対応制御が開始する。この点を、チョイ切りの運転スタイルを検出して片流れ対応制御を開始するフローチャートである図５を参照して説明する。
【００６２】
このフローチャートの動作主体は、中点移動制御部１２０である。
まず、ステップＳ１では、操舵トルクセンサ４２で検出される操舵トルクの絶対値が１０Ｎｍ（第２操舵トルク所定値）以下、かつ、ヨーレートセンサ４３で検出されるヨーレートの絶対値が１ｄｅｇ／秒（第１車両挙動量所定値）以下、という条件を満たすか否かを判定する。すなわち、車両Ｃが第１の車両状態（スタンバイ状態）にあるか否かを判定する。このスタンバイ状態は、運転者が、ほぼ操舵していない状態といえる。
【００６３】
この条件を満たす場合は（Ｓ１→Ｙｅｓ）、スタンバイ状態であるとして、次のステップＳ２に移行する。一方、この条件を満たさない場合は（Ｓ１→Ｎｏ）、ステップＳ１に戻る（このルーチンを飛び出してもよい）。
【００６４】
カント路では、スタンバイ状態での走行をすれば片流れを起こす。このため、運転者は、ハンドルＨのチョイ切りを行う。
ステップＳ２では、検出される操舵トルクの絶対値が２０Ｎｍ（第１操舵トルク所定値）を超えたか否か（第１操舵トルク所定値を満たしたか否か）を判定する。ちなみに、第１操舵トルク所定値は、チョイ切りされたか否かを判定するための閾値である。この第１操舵トルク所定値は、車種、路面ミュー、車速、タイヤの種類、カント路の傾斜などにより値が異なることがあり、数値は一例である。ちなみに、チョイ切りのときに検出される操舵トルクは、旋回、急なレーンチェンジ、回避行動によるものよりも、一般的には小さい値といえる。
【００６５】
操舵トルクが第１操舵トルク所定値超えて（第１操舵トルク所定値を満たして）いれば（Ｓ２→Ｙｅｓ）、運転者によりここでチョイ切りされた可能性があるため、次のステップＳ３に移行する。一方、超えていなければ（Ｓ２→Ｎｏ）、チョイ切りされた可能性は低いので、ステップＳ１に戻る（このルーチンを飛び出してもよい）。
【００６６】
ステップＳ３では、チョイ切りの運転スタイルかどうかを判定するための判定カウンタを起動する。そして、次のステップＳ４では、判定カウンタが１秒（第１所定時間）カウントするまでの間に、検出されたヨーレートの絶対値が、１０（第３車両挙動量所定値）〜２（第２車両挙動量所定値）ｄｅｇ／秒という範囲の値を５００ｍ秒（第２所定時間）満たしかを判定する。換言すると、検出されたヨーレートが「車両挙動における所定の条件」を満たしたか否か、具体的には、車両挙動（ヨーレート）の絶対値が第２車両挙動量所定値から第３車両挙動量所定値までの範囲をとる時間が第２所定時間以上であるか否かを判定する。つまり、ここでは、車両Ｃが片流れしているかどうかを判定する。すなわち、ステップＳ２で比較的大きな操舵トルクを検出しているが、その後、１０〜２ｄｅｇ／秒（所定の条件）というさほど大きくないヨーレートを少なくとも５００ｍ秒の間検出していれば（Ｓ４→Ｙｅｓ）、それは、片流れと判定できる。
一方、２ｄｅｇ／秒（第２車両挙動量所定値）以下のヨーレートであれば（Ｓ４→Ｎｏ）、それは、直進していて片流れしていないと判定できる。また、１０ｄｅｇ／秒（第３車両挙動量所定値）以上のヨーレートを検出すれば、それは、旋回と判定できる。
【００６７】
つまり、判定カウンタが起動している間のヨーレートの値がステップＳ４の条件を満たす場合は（Ｓ４→Ｙｅｓ）、車両Ｃは、片流れをしていると判定できるため、ステップＳ５に移行する。一方、ヨーレートの値がステップＳ４の条件を満たさない場合は（Ｓ４→Ｎｏ）、車両Ｃは、旋回（第３車両挙動量所定値以上）か直進（第２車両挙動量所定値以下）であるので、片流れ対応制御を実行する必要がなく、ステップＳ１に戻る（このルーチンを飛び出してもよい）。
【００６８】
次のステップＳ５では、操舵トルクの絶対値が１０Ｎｍ（第２操舵トルク所定値）未満かを判定する。それ以下であれば（Ｓ５→Ｙｅｓ）、チョイ切りの運転スタイルでカント路を走行しているとみなせるので、片流れ対応制御を実行するため、ステップＳ６に移行する。一方、それ以上であれば（Ｓ５→Ｎｏ）、チョイ切りではない（保舵している）とみなせるので、ステップＳ１に戻る（このルーチンを飛び出してもよい）。
【００６９】
そして、ステップＳ６では、片流れ対応舵角値を初期値（例えば０ｄｅｇ）から所定値に設定して、減算部１２１に出力する。
このように、このフローチャートでは、ステップＳ１〜Ｓ５を繰り返さなくとも、一巡で片流れを判定できる。ちなみに、ここでの所定値の他、前記の各所定値は、実験やシミュレーションなどにより適宜設定される。初期値も同様である。
【００７０】
この結果、電流値設定部１２２では、移動後の中点により電流値が設定される。この電流値設定部１２２が設定（出力）する電流値は、いわば目標電流値（片流れ対応）のベースとなる電流値（ベース電流値）である。前記のとおり、電流値設定部１２２における舵角と電流値（ベース電流値）のマップ（つまり舵角と電流値との対応関係の情報）は、前記のように、センタ感を演出するようにしている。
【００７１】
また、本実施形態では、電流値設定部１２２が出力し、ローパスフィルタ１２３による処理がなされたベース電流値には、第１レシオ出力部１２４が出力する第１レシオが乗算部１２５で乗算される。この第１レシオは、操舵トルクが小さい場合よりも大きい場合の方が、その値が小さくなるように設定されている。これは、右左折や車線変更や回避行動などの際に、片流れ対応制御部１２が出力する目標電流値（片流れ対応）が支障とならないように、目標電流値（片流れ対応）を小さくするためである。
【００７２】
また、第１レシオが乗算された後のベース電流値には、ダンパ制御部１２６が出力するダンパ電流値が加算部１２９で加算される。このダンパ電流値は、モータ回転速度が０のときに絶対値が最少となるように設定されている。そして、このダンパ電流値には、第２レシオ出力部が出力する第２レシオが乗算部１２８で乗算される。乗算後のダンパ電流値は、速い操舵に対しては大きな値になるように、力強い操舵（右左折や車線変更や回避行動など）に対しては小さな値になるようにされ、加算部１２９においてベース電流値に加算される。
【００７３】
なお、前記のとおり、片流れ対応制御部１２は、カント路や横風などの外力（さらには運転者の不意な軽い力の操舵）によってモータ３が回されないようにする電流を、換言すると運転者が保舵するハンドルＨの位置が外力により動かされないようする電流を、モータ３に供給する制御を行うものである。
【００７４】
乗算部１２５により第１レシオが乗算され、かつ、加算部１２９によりダンパ電流値が加算されたベース電流値は、目標電流値（片流れ対応）として、片流れ対応制御部１２から出力される。そして、出力された目標電流値（片流れ対応）は、クルコンスイッチＳＷがＯＮであることから、切替器１４で選択されてリミッタ１５を通過し、加算器１６で加算される。
【００７５】
この片流れ対応制御により、本実施形態の車両Ｃでは、カント路や横風が吹く状況においても、運転者が決めたハンドルＨの角度（切れ角）からの変位を、モータ３の力で抑制するようにされ、運転者の負担が、平坦路レベルにまで大幅に軽減される。
【００７６】
また、この片流れ対応制御が始まると、車両Ｃ直進時の操舵トルクが減少し、チョイ切りが不要に、又は、チョイ切りしながら運転するとしても、チョイ切りとチョイ切りの間隔が長くなり、その分、運転者の負担が軽減される。
なお、片流れ対応舵角値により中点が移動されていることから、この例では、運転者は、ハンドルＨのセンタ感が中央よりも若干右側に移動したと感じる。
【００７７】
ちなみに、片流れ対応制御は、運転者のクルコンスイッチＳＷの操作により又は運転者のアクセルペダルの操作などによって、クルコンスイッチＳＷがＯＦＦされたときに無効化される。
なお、片流れ対応制御中に、運転者が、旋回や車線変更などによりハンドルＨを操舵したときなどについて、例えば、中点移動制御部１２０が、(1)ヨーレートが所定の閾値を超えたかや、(2)モータ回転速度（舵角速度）が所定の閾値を超えたかを監視して、いずれかが超えた場合は、片流れ対応制御のキャンセル条件が成立したとして、片流れ対応舵角値を初期値（例えば０ｄｅｇ）にする。つまり、舵角中点を元に戻す。よって、クルコンスイッチＳＷがＯＮされてＥＰＳ制御部１１の目標電流値に片流れ対応制御部１２の目標電流値（片流れ対応）が加算されても、セルフアライメントトルクによるハンドルＨの戻りを大きく阻害することはない。
【００７８】
［クルコン連携のフローチャート］
図６は、本実施形態でのクルーズコントロールと片流れ対応制御との連携を示す概略的なフローチャートである。
【００７９】
図６のフローチャートでは、ＥＰＳ＿ＥＣＵ１が、クルコン（クルーズコントロール）制御中であるかどうか、つまりＣＣ制御中フラグがクルコン制御部２１から出力されているか否かを判定する（ステップＳ１１）。運転者によりクルコンスイッチＳＷがＯＮされていれば、クルコン制御中であり（ステップＳ１１→Ｙｅｓ）、ＥＰＳ＿ＥＣＵ１は、片流れ対応制御をＯＮにする（ステップＳ１２）。つまり、ＥＰＳ＿ＥＣＵ１の切替器１４が、片流れ対応制御部１２が出力する目標電流値（片流れ対応）を選択するように切り替わる。これにより、片流れ対応制御が有効化（ＯＮ）される。
【００８０】
一方、クルコンスイッチＳＷが運転者によりＯＦＦされた場合やアクセル操作などがされたためにＯＦＦされた場合は（ステップＳ１１→Ｎｏ）、クルコン制御部２１からはＣＣ制御中フラグが出力されないので、切替器１４が、ゼロ電流値出力部１３が出力するゼロ電流値を選択するように切り替わる。これにより、片流れ対応制御が無効化（ＯＦＦ）される（ステップＳ１３）。
ちなみに、本実施形態では、ＣＣ制御中フラグが出力されていなくても、図２、図３に示されるように、片流れ対応制御部１２の各部は機能している。このため、ステップＳ１３は、片流れ対応制御の「システムＯＮ」かつ「システム・インアクティブ（INACTIVE）」の表示をインパネ（インストルメント・パネル）などに行い、一方、ステップＳ１２では片流れ対応制御の「システムＯＮ」かつ「システム・アクティブ（ACTIVE）」などの表示をインパネなどに行うようにしてもよい。
【００８１】
（第１実施形態のまとめ）
以上説明した第１実施形態によれば、クルコン（クルーズコントロール）と連携して、従来のＥＰＳでは適切に支援されなかったカント路や横風など、車両Ｃに片流れを生じさせる外力が生じている状況でも、チョイ切りという運転スタイルに適合した適切な運転支援が行われ、運転者の負担を大幅に軽減できる。
【００８２】
ちなみに、本実施形態では、片流れ対応制御をクルコンスイッチＳＷと連携して、クルコンスイッチＳＷがＯＮになったときに、切替器１４を片流れ対応制御部１２の側に切り替えて片流れ対応制御を有効にしていたが、これに替えて、片流れ対応制御を有効にするスイッチを設け、このスイッチがＯＮされたときに切替器１４を片流れ対応制御部１２の側に切り替えるようにしてもよい。
しかし、この片流れ対応制御を使用する場面とクルーズコントロールを使用する場面は、似通っており、そのため、本第１実施形態では、片流れ対応制御を有効にするスイッチを独立して設けず、クルコンスイッチＳＷと兼用することとした。これにより、部品点数が削減されるとともに、運転者の操作が簡略化される。
【００８３】
なお、図５のフローチャートは、ステップＳ１〜Ｓ５を一巡した際のステップＳ５がＹｅｓの場合に、片流れ対応制御を開始する構成としていた。つまり一巡で迅速に片流れを判定できるようにしていた。これを、例えば、ステップＳ４がＹｅｓの場合（又はステップＳ５がＹｅｓの場合）、再度ステップＳ１に戻り、二巡させ、二巡目のステップＳ４がＹｅｓ又はステップＳ５がＹｅｓの場合に、中点を移動して片流れ対応制御を開始するようにしてもよい。つまり、二巡以上とすることで、カント路走行であることがより確実になり、適切な片流れ対応制御を行うことができる。
【００８４】
また、本実施形態では、クルコンスイッチＳＷがＯＮされていない場合は、切替器１４がゼロ電流値出力部１３の側であることから、ステップＳ５がＹｅｓとなっても、クルコンスイッチＳＷがＯＦＦであれば、片流れ対応制御部１２が出力する補正電流値である目標電流値（片流れ対応）は、モータ３の駆動に反映されないものであった（無効化されている）。
しかし、切替器１４を廃止したり、ステップＳ５がＹｅｓであることで、切替器１４が片流れ対応制御部１２の側に切り替わるような構成としてもよい。
また、チョイ切りの運転スタイルの判定は、図５のフローチャートに限定されるものではなく、操舵トルクセンサ４２の検出値及び／又は舵角センサ４１の検出値から、パルス状の操舵が、同じ方向に、かつ、所定の間隔で複数回検出されるか否かを判定することによって、チョイ切りの運転スタイルか否かを判定してもよい。
【００８５】
≪第２実施形態≫
次に、本発明の第２実施形態を説明する。
図７は、第２実施形態における連携を示す図である。
【００８６】
前記した第１実施形態における（図２など参照）、ＦＩ＿ＥＣＵ２のクルコン制御部２１とＥＰＳ＿ＥＣＵ２との連携は、クルコンスイッチＳＷがＯＮのときは、片流れ対応制御を行う場面が生じる可能性が高く、かつ、クルコンスイッチＳＷがＯＮのときは、大きく操舵することが少なく、片流れ対応制御が運転者の快適性の支障になる場面が生じる可能性が低いとの想定のもと、クルコンスイッチＳＷのＯＮをトリガにして、切替器１４を片流れ対応制御部１２の側に切り替えて、片流れ対応制御を有効にしていた。
【００８７】
しかし、この第２実施形態では、第１実施形態のような連携は行っていない一方、ナビゲーションシステムのＥＣＵ（ＮＡＶＩ＿ＥＣＵ６）との連携を行っている。この連携は、ＮＡＶＩ＿ＥＣＵ６が、車両Ｃは直進路上にいると判定したときはその旨の信号（フラグ）を出力して、切替器１４を片流れ対応制御部１２の側に切り替え、直線路上にいないと判定したときはその旨の信号（フラグ）を出力して、切替器１４をゼロ電流値出力部１３の側に切り替えるというものである。その理由は、第１実施形態でのクルコン制御部２１との連携と同様であるのでその説明は省略する。
また、ナビゲーションシステムは周知であるので、ＮＡＶＩ＿ＥＣＵ６の説明も省略する。
【００８８】
なお、この第２実施形態は、第１実施形態とは異なる意味で、ＦＩ＿ＥＣＵ２のクルコン制御部２１とＥＰＳ＿ＥＣＵ２が連携を行っている。以下、この第２実施形態でのクルコン制御部２１との別の連携を説明する。
【００８９】
運転者によりクルコンスイッチＳＷがＯＮされている状況は、運転者の操舵意思が低い状況といえる。このため、ハンドルＨを握る力などが弱まっている可能性が高い。したがって、第２実施形態では、片流れ対応制御部１２が、クルコン制御部２１との連携で、クルコン制御部２１からＣＣ制御中フラグ（第１実施形態で説明済み）が出力されていることを検出すると、片流れ対応制御の制御量（目標電流値（片流れ対応））を増大させるようにする（増大の仕方については後記する第３実施形態の逆の手法をとることで実現できる）。
【００９０】
このようにすることで、片流れ対応制御中にクルコンスイッチＳＷが運転者によりＯＮされ、運転者がハンドルＨを把持する力を弱めるなどしても、適切に保舵することができる。
【００９１】
なお、図７の符号ＳＷのスイッチをクルコンスイッチとして説明しているが、この符号ＳＷのスイッチをクルコンスイッチではなく、運転者がハンドルＨを把持しているか否か（手離しをしているか否か）を検出するする手離し検出センサとして置き換え、この手離し検出センサＳＷの信号を片流れ対応制御部１２で使用して、手離しのときなどには、片流れ対応制御の制御量を上げるようにしてもよい（つまりここでの符号ＳＷは手離し検出センサである）。ちなみに、符号ＳＷが、クルコンスイッチ又は手離し検出センサであると説明したが、両者は排他的な関係ではなく、両者が併存してもよいことはいうまでもない。また、手離しは、把持力を測定するセンサによっても検出可能である。
【００９２】
この第２実施形態では、運転者の保舵力が弱まる状況に対して、適切な片流れ対応制御を行うことができる。
【００９３】
≪第３実施形態≫
前記した第２実施形態は、運転者のハンドルＨの把持力が弱まることに対応して、片流れ対応制御の制御量を増大する実施形態を説明したが、この第３実施形態では、逆に、片流れ対応制御の制御量（目標電流値（片流れ対応）＝補正電流値）を減少させたり、片流れ対応制御を停止させたりする実施形態を説明する。
図８は、第３実施形態の一例として、図３の電流値設定部１２２における舵角と電流値との対応関係の情報を調整することで片流れ対応制御の制御量を減少する例を示す図である。
【００９４】
（極低車速時など）
極低車速時や停車時では、カント路の影響を比較的受けにくい。したがって、車輪速センサ４４に基づく車速が例えば１０Ｋｍ／h以下の極低車速や、車速０の停車時は、片流れ対応制御の制御量（目標電流値（片流れ対応））を減少又は片流れ対応制御を停止するようにする。
その減少の仕方としては、(1) 図８に示すように、電流値設定部１２２（図３参照）における舵角と電流値（ベース電流値）との対応関係の情報（マップ）についての舵角に対応する電流値（絶対値）を、実線のものから破線のもののように引下げることが考えられる。また、(2) 別の減少の仕方として、片流れ対応制御部１２（図３参照）で、片流れ対応舵角値を移動させていたが、この移動量を低減させることなど、種々の仕方で片流れ対応制御の制御量の低減を実現できる。
また、片流れ対応制御の停止は、例えば、切替器１４をゼロ電流値出力部１３の側に切り替えることで実現できる。
【００９５】
（夜間）
また、夜間は、視界が悪くなるため（認識可能な前方の距離が減少するため）、運転者の目視による直進判定が甘くなる。このため、昼間であれば、運転者はカント路に対応した舵角にすぐにハンドルＨを合わせられるが、夜間ではその精度が悪化する。すると、夜間は、多少蛇行気味の運転になる。片流れ対応制御により舵角の中点の移動が行われ、かつ蛇行運転すると、蛇行の一方では、運転者の操舵の方向と逆になってしまい、運転者の操舵を阻害する場合がある。このため、夜間は、前記と同様の手法で、片流れ対応制御量を減少又は片流れ対応制御を停止するようにする。これにより、この違和感を抑制することができる。
なお、この減少・停止の制御は、ヘッドライトのスイッチと連動させたり車両が備える時計と連動させたりすることで実現できる。
【００９６】
（ウインカ操作など）
また、ウインカが操作されたときには、ウインカと連携して、片流れ対応制御の制御量を減少又は片流れ対応制御を停止する構成とする。
また、ＡＢＳ（Anti Brake Lock System）やＶＳＡ（Vehicle Stability Assist、登録商標）が作動するときや、障害物回避支援装置（追突防止装置）が作動するときは、これらと連携して、片流れ対応制御の制御量を減少又は片流れ対応制御を停止する構成とする。なお、障害物回避装置などは、衝突余裕時間（Time To Collision；ＴＴＣ）に応じて片流れ対応制御の制御量を可変させることができる。例えば、ＴＴＣが５秒のときよりも、ＴＴＣが２秒のときの方が、制御量（目標電流値（片流れ対応））が小さくなるようにする。
【００９７】
≪その他≫
以上、第１〜第３実施形態で説明した本発明は、以上の実施形態に限定されることなく実施することができる。例えば、ナビゲーションシステムによって、車両Ｃが曲線路上や市街路上などを走行していることが分かれば、切替器１４をゼロ電流値出力部１３の側に切り替えるようにしてもよい。
また、切替器１４やゼロ電流値出力部１３は必須の構成ではなく、省略することも可能である。
なお、本発明は、カント路（横風）かつ曲線路などにも対応可能である。
【００９８】
また、本発明は、エンジンを備える車両Ｃにのみ適用可能なものではなく、電気自動車や燃料電池車など、あらゆる車種にも当然適用できるものである。ちなみに、電気自動車や燃料電池車の場合、クルーズコントロールは、例えば、走行モータ用のインバータの駆動を制御して、一定車速での走行を実現させる。また、クルーズコントロールは、アクセルに加えてブレーキも自動操作して、車間距離を所定に保つアダプティブクルーズコントロール（ＡＣＣ）でも同じである。
また、ステア・バイ・ワイヤ（Stair By Wire）にも適用できる。
【００９９】
さらには、船舶（小型船舶）などで、潮流や横風で船体が横方向に流されるような場合（片流れが生じる場合）においても、これに対応して船舶の舵取りハンドルを運転者が保舵するような状況にも適用することができる。すなわち、請求項の車両の語を船舶や乗り物に読み替えて適用することもできる。
【符号の説明】
【０１００】
１        ＥＰＳ＿ＥＣＵ
１１          ＥＰＳ制御部
１２          片流れ対応制御部（片流れ対応制御手段）
１２０          中点移動制御部
１２１          減算部
１２２          電流値設定部
１３          ゼロ電流値出力部
１４        切替器
１５        リミッタ
１６        加算器
１７        モータ駆動手段
２        ＦＩ＿ＥＣＵ
２１        クルコン制御部
３        モータ（電動モータ）
４        センサ
４１        舵角センサ（操舵角検出手段）
４２        操舵トルクセンサ（操舵トルク検出手段）
４３        ヨーレートセンサ（車両挙動検出手段）
４４        車輪速センサ
５        ＤＢＷ
６        ＮＡＶＩ＿ＥＣＵ（ナビゲーション手段）
Ｃ        車両
Ｓ        車両用操舵装置
Ｈ        ハンドル（ステアリングハンドル）
ＳＷ      クルコンスイッチ、手離し検出手段
【図１】
2015020440.tif 000003
【図２】
2015020440.tif 000004
【図３】
2015020440.tif 000005
【図５】
2015020440.tif 000006
【図６】
2015020440.tif 000007
【図７】
2015020440.tif 000008
【図８】
2015020440.tif 000009
【図４】
2015020440.tif 000010